【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
グラフィックディスプレイと、
ユーザー入力装置と、
前記グラフィックディスプレイのモーションを検出するためのモーションセンサーと、
論理サブシステムと、
前記論理サブシステムによって実行可能な命令を保持しているメモリーを含んでいて、その実行によって前記論理サブシステムが、
前記グラフィックディスプレイを介しアイコンメニューを表示し、前記アイコンメニューが二次元コレクションに配置される複数のアイコンを含み、前記複数のアイコンのアイコンそれぞれがメディアコンテンツに対するアクセスを提供し、
前記グラフィックディスプレイを介しテキストメニューを表示し、前記テキストメニューが前記メディアコンテンツを含むメディアライブラリーに対するアクセスを提供する構造化テキストリストを含み、
前記ユーザー入力装置において受信された第１のユーザー入力に応答し前記アイコンメニューをアンロックすることと、前記ユーザー入力装置において受信された第２のユーザー入力に応答し前記アイコンメニューをロックすることと、
前記アイコンメニューがロックされていない場合、前記モーションセンサーによって検出されたモーションに応答し前記構造化テキストリストをシャッフルせずに互いに関連する前記複数のアイコンをシャッフルすることと、
前記アイコンメニューがロックされている間、モーションが前記モーションセンサーによって検出された場合、前記複数のアイコンを相対的に固定された配置に保持することと、をもたらすことを特徴とするメディアシステム。
【請求項２】
前記ユーザー入力装置が、前記グラフィックディスプレイのタッチセンサー領域を含むことを特徴とする請求項１記載のメディアシステム。
【請求項３】
前記ユーザー入力装置が、ボタンを含むことを特徴とする請求項１記載のメディアシステム。
【請求項４】
前記複数のアイコンが、デフォルトの配置からシャッフルされた配置へ互いにシャッフルされることと、前記メモリーが更に、前記論理サブシステムによって実行可能な命令を含んでいて、その実行によって前記論理サブシステムが、
前記テキストメニューを対象としている第３のユーザー入力に応答し前記複数のアイコンを前記シャッフルされた配置から前記デフォルトの配置へ戻すことと、を特徴とする請求項１記載のメディアシステム。
【請求項５】
前記メモリーが更に、前記論理サブシステムによって実行可能な命令を含んでいて、その実行によって前記論理サブシステムが、
前記テキストメニューを対象としている前記第３のユーザー入力を受信することに応答し、前記アイコンメニューのサイズに対し前記テキストメニューのサイズを増やすことによって、前記テキストメニューを目立たせることを特徴とする請求項４記載のメディアシステム。
【請求項６】
前記メモリーが更に、前記論理サブシステムによって実行可能な命令を含んでいて、その実行によって前記論理サブシステムが、
少なくとも２次元の前記グラフィックディスプレイにおいて、第１の配置から第２の配置へ前記複数のアイコンのうち１つ以上のアイコンの相対配置を変更することによって、前記複数のアイコンを互いにシャッフルすることと、前記グラフィックディスプレイに対し前記複数のアイコンのアイコンそれぞれの固定した角度方向を、前記第１の配置及び前記第２の配置双方に維持することと、を特徴とする請求項１記載のメディアシステム。
【請求項７】
前記メモリーが更に、前記論理サブシステムによって実行可能な命令を含んでいて、その実行によって前記論理サブシステムが、
前記アイコンメニューがシャッフルされたとき、前記アイコンメニューから１つ以上のアイコンを削除することと、
前記アイコンメニューがシャッフルされたとき、１つ以上の新しいアイコンを前記アイコンメニューに導入し、前記１つ以上の新しいアイコンが、前記複数のアイコンがシャッフルされる前には、前記アイコンメニューを介し以前アクセス可能でなかった前記メディアライブラリーの異なるメディアコンテンツに対するアクセスを提供するものと、を特徴とする請求項１記載のメディアシステム。
【請求項８】
前記異なるメディアコンテンツが、推奨されたメディアコンテンツを含み、前記メモリーが更に、前記論理サブシステムによって実行可能な命令を含んでいて、その実行によって前記論理サブシステムが、
前記メディアシステムの作動条件に応答し前記メディアライブラリーから前記推奨されたメディアコンテンツを識別する、ことを特徴とする請求項７記載のメディアシステム。
【請求項９】
前記メディアシステムの前記作動条件が、前記複数のアイコンを介して以前アクセスされたメディアコンテンツを含むことを特徴とする請求項８記載のメディアシステム。
【請求項１０】
前記二次元のアイコンコレクションが、１つ以上の列のアイコン及び２つ以上の行のアイコンを定義していることを特徴とする請求項１記載のメディアシステム。
【請求項１１】
前記１つ以上の列のサイズ及び前記２つ以上の行のサイズが、前記複数のアイコンそれぞれのアイコンのサイズに基づいていることを特徴とする請求項１０記載のメディアシステム。
【請求項１２】
前記複数のアイコンが、前記メディアライブラリーのメディアコンテンツのサブセットを形成している前記メディアコンテンツに対するアクセスを提供することを特徴とする請求項１記載のメディアシステム。
【請求項１３】
前記メディアコンテンツが、視覚コンテンツ、音声コンテンツ、通信コンテンツ、お気に入りのコンテンツ、推奨されたコンテンツ、新たに利用可能なコンテンツ、最近追加されたコンテンツ、コンテンツ関連ニュース、ソーシャルコンテンツのうち１つ以上を含む請求項１記載のメディアシステム。
【請求項１４】
前記モーションセンサーが、光学式エレメント及び加速度計の１つ以上を含むことを特徴とする請求項１記載のメディアシステム。
【請求項１５】
メディアコンテンツを含むメディアライブラリーを有するメディアシステムを作動する方法であって、
前記メディアシステムのグラフィックディスプレイを介しアイコンメニューを表示するステップであって、前記アイコンメニューが、前記メディアライブラリーのメディアコンテンツのサブセットに対するアクセスを集合的に提供するアイコンの二次元コレクションを含むものと、
前記グラフィックディスプレイを介しテキストメニューを表示するステップであって、前記テキストメニューが、前記メディアライブラリーの前記メディアコンテンツの構造化リストを含んでいるものと、
前記アイコンメニューを対象としているユーザー入力を受信するステップと、
前記アイコンメニューを対象としている前記ユーザー入力を受信することに応答し、前記テキストリストのサイズを縮小した縮尺比へ減らすステップと、
前記メディアシステムのモーションの指示を受信するステップと、
前記テキストリストが前記縮小した縮尺比に減らされている間、前記メディアシステムのモーションの指示を受信することに応答し、前記二次元コレクション内の前記アイコンの１つ以上を第１の配置から第２の配置へ再配置するステップと、
前記テキストメニューを対象としているユーザー入力を受信するステップと、
前記テキストメニューを対象としている前記ユーザー入力を受信することに応答し、前記アイコンリストのサイズを縮小した縮尺比へ減らし、前記アイコンを前記第１の配置へ再配置するステップと、を含む方法。